(57)【要約】  構造体（１００）は、第１表面（１Ａ）と、第１表面（１Ａ）とは反対側を向いた第１裏面（１Ｂ）とを有する第１部（１）と、第１表面（１Ａ）とは反対側を向いた第２表面（２Ａ）と、第２表面（２Ａ）とは反対側を向いた第２裏面（２Ｂ）とを有する第２部（２）と、第１部（１）および第２部（２）を支持している支持部（３）と、第１表面（１Ａ）上に形成された第１膜（２１Ａ）と、第１裏面（１Ｂ）上に形成された第２膜（２１Ｂ）と、支持部（３）の表面の少なくとも一部上に形成された第３膜（第８膜（２７）、第９膜（２８）、および第１０膜（２９））を備える。第１膜（２１Ａ）の熱放射率は、第２膜（２１Ｂ）、第８膜（２７）、第９膜（２８）、および第１０膜（２９）の各熱放射率よりも高い。
2019220743.tif 000002
【特許請求の範囲】
【請求項１】
第１表面と、前記第１表面とは反対側を向いた第１裏面とを有する第１部と、
前記第１表面とは反対側を向いた第２表面と、前記第２表面とは反対側を向いた第２裏面とを有する第２部と、
前記第１部および前記第２部を支持している支持部と、
前記第１表面上に形成された第１膜と、
前記第１裏面上に形成された第２膜と、
前記支持部の表面の少なくとも一部上に形成された第３膜を備え、
前記第１膜の熱放射率は、前記第２膜および前記第３膜の各熱放射率よりも高い、構造体。
【請求項２】
前記第１膜の日射反射率は、前記第２膜および前記第３膜の各日射反射率よりも高い、請求項１に記載の構造体。
【請求項３】
前記第２表面上に形成された第４膜と、
前記第２裏面上に形成された第５膜とをさらに備え、
前記第４膜の熱放射率は、前記第２膜、前記第３膜および前記第５膜の各熱放射率よりも高い、請求項１または２に記載の構造体。
【請求項４】
前記第１膜の熱放射率は、前記第４膜の熱放射率に等しい、請求項３に記載の構造体。
【請求項５】
前記第２膜の熱放射率、前記第３膜の熱放射率、および前記第５膜の熱放射率は、互いに等しい、請求項３または４に記載の構造体。
【請求項６】
前記第１表面および前記第２表面とは異なる方向を向いた第３表面と、前記第３表面とは反対側を向いた第３裏面とを有する第３部をさらに備え、
前記支持部は、前記第１部、前記第２部および前記第３部を支持しており、
前記第３表面上に形成された第６膜をさらに備え、
前記第６膜の熱放射率は、前記第３膜の熱放射率よりも高い、請求項１〜５のいずれか１項に記載の構造体。
【請求項７】
前記第１膜の熱放射率は、前記第６膜の熱放射率に等しい、請求項６に記載の構造体。
【請求項８】
前記第３裏面上に形成された第７膜をさらに備え、
前記第１膜および前記第６膜の熱放射率は、前記第７膜の熱放射率よりも高い、請求項６または７に記載の構造体。
【請求項９】
前記第２膜の熱放射率、前記第３膜の熱放射率、および前記第７膜の熱放射率は、互いに等しい、請求項８に記載の構造体。
【請求項１０】
前記支持部は、
前記第１裏面と接続されており、かつ前記第１部を支持する第１支持部材と、
前記第２裏面と接続されており、かつ前記第２部を支持する第２支持部材と、
前記第１裏面と前記第２裏面との間に配置されており、かつ前記第１支持部材と前記第２支持部材とを接続する骨組部材とを含み、
前記第３膜は、前記骨組部材の表面上にのみ形成されている、請求項１〜９のいずれか１項に記載の構造体。
【請求項１１】
前記骨組部材は、
前記第１表面側を向いた第４表面と、前記第４表面とは反対側を向いた第４裏面とを有し、前記第４表面が前記第１支持部材と接続されている第１骨組部材と、
前記第２表面側を向いた第５表面と、前記第５表面とは反対側を向いた第５裏面とを有し、前記第５表面が前記第２支持部材と接続されている第２骨組部材と、
前記第１骨組部材と前記第２骨組部材と接続されている第３骨組部材とを有し、
前記第１骨組部材、前記第２骨組部材および前記第３骨組部材は、トラス構造を成しており、
前記第３膜は、前記第４表面、前記第４裏面、前記第５表面、前記第５裏面および前記第３骨組部材の表面上に形成されている、請求項１０に記載の構造体。
【発明の詳細な説明】
【技術分野】
【０００１】
本発明は、構造体に関し、特に外部から入熱される部分を有する構造体に関する。
【背景技術】
【０００２】
外部から入熱される部分を有する構造体として、例えば建築物が挙げられる。従来、外部から屋根および外壁に伝えられた熱が居室内に伝わることを遮るために、屋根および外壁の外表面に高い熱放射率を有するシートが取り付けられた建築物が知られている。【０００３】
特開２００６−１７７１３６号公報には、構造躯体の屋外側に断熱材および外装材が配設されており、放射率の高い皮膜が建築物の外装材の外側表面上に設けられており、かつ放射率の低い皮膜が外装材の内側表面上にのみ設けられた外壁構造が開示されている。
【先行技術文献】
【特許文献】
【０００４】
【特許文献１】特開２００６−１７７１３６号公報
【発明の概要】
【発明が解決しようとする課題】
【０００５】
しかしながら、特開２００６−１７７１３６号公報に記載の外壁構造では、外装材から構造躯体への熱放射を十分に抑制することが困難であるため、外装材内の温度分布および外装材と構造躯体との形態係数の大小関係に応じた温度分布が構造躯体内にも形成される。【０００６】
特に、第１外装材と第２外装材とが１つの構造躯体を挟むように配置された外壁構造において第１外装材と第２外装材との間の温度差が比較的大きい場合には、構造躯体において第１外装材との形態係数が第２外装材との形態係数よりも大きい部分と構造躯体において第２外装材との形態係数が第１外装材との形態係数よりも大きい部分との間の温度差も大きくなる。その結果、従来の構造体では、上記温度差によって構造躯体に比較的大きな熱応力が印加されるため、構造躯体の変形を抑制することは困難である。【０００７】
本発明の主たる目的は、外部から入熱される複数の入熱部および該複数の入熱部を支持する支持部を備える構造体であって、複数の入熱部から支持部への熱放射が上述した従来の構造体と比べて抑制されている構造体を提供することにある。
【課題を解決するための手段】
【０００８】
本発明に係る構造体は、第１表面と、第１表面とは反対側を向いた第１裏面とを有する第１部と、第１表面とは反対側を向いた第２表面と、第２表面とは反対側を向いた第２裏面とを有する第２部と、第１部および第２部を支持している支持部と、第１表面上に形成された第１膜と、第１裏面上に形成された第２膜と、支持部の表面の少なくとも一部上に形成された第３膜を備える。第１膜の熱放射率は、第２膜および第３膜の各熱放射率よりも高い。
【発明の効果】
【０００９】
本発明によれば、外部から入熱される複数の入熱部および該複数の入熱部を支持する支持部を備える構造体であって、複数の入熱部から支持部への熱放射が上述した従来の構造体と比べて抑制されている構造体を提供することができる。
【図面の簡単な説明】
【００１０】
【図１】実施の形態１に係る構造体を示す断面図である。
【図２】実施の形態２に係る構造体を示す断面図である。
【発明を実施するための形態】
【００１１】
以下、図面を参照して、本発明の実施の形態を説明する。なお、以下の図面において同一または相当する部分には同一の参照番号を付し、その説明は繰返さない。
【００１２】
実施の形態１．
＜構造体の構成＞
図１に示されるように、実施の形態１に係る構造体１００は、第１部１、第２部２、および支持部３を主に備える。
【００１３】
第１部１および第２部２は、構造体１００の外部から入熱される部分である。第１部１は、第１表面１Ａと、第１表面１Ａとは反対側を向いた第１裏面１Ｂとを有する。第１表面１Ａは、構造体１００の外部を向いている。第１裏面１Ｂは、支持部３側を向いている。
【００１４】
第２部２は、第１表面１Ａとは反対側を向いた第２表面２Ａと、第２表面２Ａとは反対側を向いた第２裏面２Ｂとを有する。第２表面２Ａは、構造体１００の外部を向いている。第２裏面２Ｂは、支持部３側を向いている。
【００１５】
第１表面１Ａは、例えば第２裏面２Ｂと平行である。第１裏面１Ｂは、例えば第２表面２Ａと平行である。第１表面１Ａ、第１裏面１Ｂ、第２表面２Ａおよび第２裏面２Ｂは、例えば平面である。なお、第１表面１Ａ、第１裏面１Ｂ、第２表面２Ａおよび第２裏面２Ｂは、放射面であってもよい。第１表面１Ａ、第１裏面１Ｂ、第２表面２Ａおよび第２裏面２Ｂは、例えば第１方向Ａに直交している。第１部１および第２部２は、例えばプレート状に構成されている。第１部１および第２部２は、例えばアンテナの電波受送部（主反射鏡）として構成されていてもよいし、パラボナアンテナの主反射鏡および放射器を支持する支持部材として構成されていてもよい。
【００１６】
支持部３は、第１部１および第２部２を支持している。支持部３は、任意の構成を有していればよいが、例えば複数の第１支持部材４、複数の第２支持部材５、および骨組部材６を含む。
【００１７】
複数の第１支持部材４は、第１部１を支持している。各第１支持部材４は、第１部１の第１裏面１Ｂ、および後述する第１骨組部材７の第４表面７Ａに接続されている。複数の第１支持部材４の第１方向Ａに垂直な断面積の総和は、第１裏面１Ｂの面積未満である。複数の第１支持部材４の第１方向Ａに沿って延びる表面積の総和は、第１裏面１Ｂの面積未満である。第１部１の第１裏面１Ｂと第１骨組部材７の第４表面７Ａとに接続される第１支持部材４が、第１裏面１Ｂと第４表面７Ａとの挟まれる空間において部分的に形成されている。そのため、第１裏面１Ｂに接続された第１支持部材４を介した熱伝導および熱放射よりも、第１裏面１Ｂから第４表面７Ａへの熱放射が支配的になる。
【００１８】
複数の第２支持部材５は、第２部２を支持している。各第２支持部材５は、第２部２の第２裏面２Ｂ、および後述する第２骨組部材８の第５表面８Ａに接続されている。複数の第２支持部材５の第１方向Ａに垂直な断面積の総和は、第２裏面２Ｂの面積未満である。第２部２の第２裏面２Ｂと第２骨組部材８の第５表面８Ａとに接続される第２支持部材５が、第２裏面２Ｂと第５表面８Ａとの挟まれる空間において部分的に形成されている。そのため、第２裏面２Ｂに接続された第２支持部材５を介した熱伝導および熱放射よりも、第２裏面２Ｂから第５表面８Ａへの熱放射が支配的になる。
【００１９】
骨組部材６は、第１裏面１Ｂと第２裏面２Ｂとの間に配置されており、かつ第１支持部材４と第２支持部材５とを接続する。骨組部材６は、任意の構成を有していればよいが、例えば第１骨組部材７、第２骨組部材８、および第３骨組部材９を有している。第１骨組部材７、第２骨組部材８、および第３骨組部材９は、例えばトラス構造を成している。第１骨組部材７および第２骨組部材８は、例えば第１方向Ａと交差する第２方向に沿って延びている。
【００２０】
第１骨組部材７は、第１表面１Ａ側を向いた第４表面７Ａと、第４表面７Ａとは反対側を向いた第４裏面７Ｂとを有する。第４表面７Ａは、第１裏面１Ｂと対向している。上述のように、第４表面７Ａは第１支持部材４と接続されている。
【００２１】
第２骨組部材８は、第２表面２Ａ側を向いた第５表面８Ａと、第５表面８Ａとは反対側を向いた第５裏面８Ｂとを有する。第５表面８Ａは、第２裏面２Ｂと対向している。上述のように、第５表面８Ａは第２支持部材５と接続されている。
【００２２】
第３骨組部材９は、第１骨組部材７と第２骨組部材８と接続されている。第３骨組部材９は、第１方向Ａおよび第２方向Ｂと交差する第３方向に延在する複数の第１部分と、第１方向Ａ、第２方向Ｂおよび第３方向と交差する第４方向に延在する複数の第２部分とを有している。各第１部分は、第２方向Ｂにおいて互いに間隔を隔てて配置されている。各第２部分は、第２方向Ｂにおいて互いに間隔を隔てて配置されている。各第１部分の一端は第２方向Ｂにおいて隣り合う一方の第２部分と接続されており、各第１部分の他端は第２方向Ｂにおいて隣り合う他方の第２部分と接続されている。
【００２３】
第１部１の第１表面１Ａ上には、第１膜２１Ａが形成されている。第１部１の第１裏面１Ｂ上には、第２膜２１Ｂが形成されている。第２部２の第２表面２Ａ上には、第４膜２２Ａが形成されている。第２部２の第２裏面２Ｂ上には、第５膜２２Ｂが形成されている。支持部３の表面の少なくとも一部上には、第３膜が形成されている。第３膜は、例えば骨組部材６の表面上にのみ形成されている。第３膜は、第８膜２７、第９膜２８、および第１０膜２９を有している。
【００２４】
第１骨組部材７の第４表面７Ａおよび第４裏面７Ｂ上には、第８膜２７が形成されている。第２骨組部材８の第５表面８Ａおよび第５裏面８Ｂ上には、第９膜２８が形成されている。第３骨組部材９の表面上には、第１０膜２９が形成されている。
【００２５】
第１膜２１Ａの熱放射率は、第２膜２１Ｂ、第８膜２７、第９膜２８、および第１０膜２９の各熱放射率よりも高い。好ましくは、第１膜２１Ａの日射反射率は、第２膜２１Ｂ、第８膜２７、第９膜２８、および第１０膜２９の各日射反射率よりも高い。熱放射率は、例えばＪＩＳ  Ａ  １４２３「赤外線放射温度計による垂直放射率の簡易測定方法」に準拠して測定される。日射反射率は、例えばＪＩＳ  Ｋ  ５６０２「塗膜の日射反射率の求め方」に準拠して測定される。
【００２６】
第４膜２２Ａの熱放射率は、第２膜２１Ｂ、第５膜２２Ｂ、第８膜２７、第９膜２８、および第１０膜２９の各熱放射率よりも高い。好ましくは、第４膜２２Ａの日射反射率は、第２膜２１Ｂ、第５膜２２Ｂ、第８膜２７、第９膜２８、および第１０膜２９の各日射反射率よりも高い。第１膜２１Ａの熱放射率は、例えば第４膜２２Ａの熱放射率に等しい。第１膜２１Ａの日射反射率は、例えば第４膜２２Ａの日射反射率に等しい。
【００２７】
例えば、第２膜２１Ｂ、第５膜２２Ｂ、第８膜２７、第９膜２８、および第１０膜２９の各熱放射率は互いに等しい。第２膜２１Ｂ、第５膜２２Ｂ、第８膜２７、第９膜２８、および第１０膜２９の各日射反射率は互いに等しい。
【００２８】
各膜は、任意の方法により形成されていればよいが、例えば塗料が塗布されることにより形成されている。第１膜２１Ａおよび第４膜２２Ａを構成する材料は、例えば放射率が高い金属を含む金属箔、金属板、または塗料を含む。第２膜２１Ｂ、第５膜２２Ｂ、第８膜２７、第９膜２８、および第１０膜２９を構成する材料は、例えばアルミニウム（Ａｌ）、亜鉛（Ｚｎ）、マグネシウム（Ｍｇ）を含む。基本的には、光沢のある金属面は放射率が低い（換言すると、光沢のある金属面は、第１膜２１Ａおよび第４膜２２Ａには好ましくない金属面であるといえる）。しかし、金属が酸化して金属面上に酸化膜が形成されると放射率が高くなる。アルミニウム（Ａｌ）は、酸化しても放射率が低い。そのため、第２膜２１Ｂ、第５膜２２Ｂ、第８膜２７、第９膜２８、および第１０膜２９を構成する材料は、アルミニウム（Ａｌ）を主成分とするものが好ましい。
【００２９】
＜作用効果＞
構造体１００は、第１表面１Ａと、第１表面１Ａとは反対側を向いた第１裏面１Ｂとを有する第１部１と、第１表面１Ａとは反対側を向いた第２表面２Ａと、第２表面２Ａとは反対側を向いた第２裏面２Ｂとを有する第２部２と、第１部１および第２部２を支持している支持部３と、第１表面１Ａ上に形成された第１膜２１Ａと、第１裏面１Ｂ上に形成された第２膜２１Ｂと、支持部３の表面の少なくとも一部上に形成された第３膜（第８膜２７、第９膜２８、および第１０膜２９）を備える。第１膜２１Ａの熱放射率は、第２膜２１Ｂ、第８膜２７、第９膜２８、および第１０膜２９の各熱放射率よりも高い。
【００３０】
上記構造体１００では、第１部１において外部に向いている第１表面１Ａ上に形成されている第１膜２１Ａの熱放射率が、第１部１において支持部３を向いている第１裏面１Ｂ上に形成されている第２膜２１Ｂの熱放射率と比べて高い。これにより、第１部１の熱は、支持部３側に放射されるよりも、構造体１００の外部に放射されやすい。そのため、構造体１００では、第１部１から支持部３への熱放射が従来の構造体の入熱部から構造躯体への熱放射と比べて抑制されている。
【００３１】
これにより、第１部１が第２部２よりも高温である場合に、支持部３において第１部１との形態係数が第２部２との形態係数よりも大きい部分（例えば第１骨組部材７）と支持部３において第２部２との形態係数が第１部１との形態係数よりも大きい部分（例えば第２骨組部材８）との間の温度差は、第１部１と第２部２との温度差未満となる。つまり、第１部１と第２部２との温度差が比較的大きい場合にも、当該温度差が支持部３内に形成されることが抑制されている。その結果、構造体１００の第１部１と第２部２との温度差と従来の構造体の外装材間の温度差とが等しい場合、構造体１００の支持部３に印加される熱応力は、従来の構造体の構造躯体に印加される熱応力よりも小さくなる。そのため、構造体１００では、従来の構造体と比べて、熱応力に起因した変形が起こりにくい。
【００３２】
上記構造体１００では、第１膜２１Ａの日射放射率が、第２膜２１Ｂ、第８膜２７、第９膜２８、および第１０膜２９の各日射反射率よりも高い。
【００３３】
そのため、構造体１００の外部から第１膜２１Ａに入射した日射熱は、第１膜２１Ａによって外部に反射され易く、第１部１に吸収されにくい。そのため、上記構造体１００では、構造体１００の外部から第１膜２１Ａに入射した日射熱に起因した第１部１の温度上昇が抑制されている。その結果、第１部１から支持部３へ放射される熱量は、第１膜２１Ａの日射放射率が第２膜２１Ｂ、第８膜２７、第９膜２８、および第１０膜２９の各日射反射率以下とされている場合のそれと比べて、低減されている。
【００３４】
上記構造体１００は、第２表面２Ａ上に形成された第４膜２２Ａと、第２裏面２Ｂ上に形成された第５膜２２Ｂとをさらに備える。第４膜２２Ａの熱放射率は、第２膜２１Ｂ、第８膜２７、第９膜２８、および第１０膜２９の各熱放射率よりも高い。
【００３５】
構造体１００の外部を向いた第１表面１Ａおよび第２表面２Ａを有している第１部１および第２部２には、支持部３と比べて構造体１００の外部から日射熱が入射しやすい。一方で、第１膜２１Ａおよび第４膜２２Ａの各熱放射率が、第２膜２１Ｂおよび第５膜２２Ｂの各熱放射率と比べて高い。これにより、第１部１および第２部２の熱は、支持部３側に放射されるよりも、構造体１００の外部に放射されやすい。そのため、構造体１００では、第１部１から支持部３への熱放射および第２部２から支持部３への熱放射が従来の構造体の入熱部から構造躯体への熱放射と比べて抑制されている。構造体１００の第１部１と第２部２との温度差と従来の構造体の外装材間の温度差とが等しい場合に、構造体１００の支持部３に印加される熱応力は、従来の構造体の構造躯体に印加される熱応力よりも小さくなる。そのため、構造体１００では、従来の構造体と比べて、熱応力に起因した変形が起こりにくい。
【００３６】
上記構造体１００では、第１膜２１Ａの熱放射率は、第４膜２２Ａの熱放射率に等しい。このような構造体１００では、第１部１および第２部２の構成は、第１部１と第２部２との中間を通り第２方向Ｂに沿って延びる対称軸に対して線対称とされ得る。そのため、例えば第１部１および第２部２の各々に入射される日射熱の大小関係が変化するような環境下に構造体１００が配置される場合にも、当該変化に依らずに、構造体１００は上記効果を奏することができる。また、上記のような第１膜２１Ａおよび第４膜２２Ａは、同一の材料により構成され得る。そのため、上記構造体１００の製造コストは、第１膜２１Ａと第４膜２２Ａとがそれぞれ異なる材料により構成される構造体１００の製造コストと比べて、低減され得る。
【００３７】
上記構造体１００では、第２膜２１Ｂ、第５膜２２Ｂ、第８膜２７、第９膜２８、および第１０膜２９の各熱放射率は互いに等しい。このような構造体１００の構成は、第１部１と第２部２との中間を通り第２方向Ｂに沿って延びる対称軸に対して線対称とされ得る。そのため、例えば第１部１および第２部２の各々に入射される日射熱の大小関係が変化するような環境下に構造体１００が配置される場合にも、当該変化に依らずに、構造体１００は上記効果を奏することができる。また、上記のような第２膜２１Ｂ、第８膜２７、第９膜２８、第１０膜２９、および第５膜２２Ｂは、同一の材料により構成され得る。そのため、上記構造体１００の製造コストは、第２膜２１Ｂ、第８膜２７、第９膜２８、第１０膜２９、および第５膜２２Ｂがそれぞれ異なる材料により構成される構造体１００の製造コストと比べて、低減され得る。
【００３８】
構造体１００では、第１部１および第２部２の各々と支持部３との間に、断熱材および金属板等の遮熱部材が配置される必要がない。また、第１膜２１Ａおよび第２膜２１Ｂ等の各膜は、このような遮熱部材よりも小型化および軽量化され得る。そのため、構造体１００では、上記遮熱部材によって第１部１および第２部２の各々から支持部３への入熱を抑制する構造体と比べて、小型化かつ軽量化され得る。
【００３９】
また、第１膜２１Ａおよび第２膜２１Ｂ等の各膜が第１部１、第２部２、および支持部３の各表面上に塗布法により形成されている場合、例えば各膜が溶射法により形成されている場合と比べて、第１部１、第２部２、および支持部３の熱による変形が抑制されている。また、塗布法により形成された各膜を備える構造体１００では、各膜の構成材料の最適化のみによって他の機能が容易に付加され得る。例えば、第２膜２１Ｂ、第５膜２２Ｂ第８膜２７、第９膜２８、および第１０膜２９の各々がＡｌを含む塗料により構成されている場合、各膜に替えて金属板によって上記熱放射率の構成が実現される場合と比べて、高い風雨耐久性および高い塩水耐久性が低コストで実現される。そのため、構造体１００は、風雨に晒される環境下に配置される構造体に好適である。
【００４０】
構造体１００の外部から支持部３の骨組部材６への主な熱経路として、第１部１および第２部２から骨組部材６への熱放射、第１部１および第２部２から骨組部材６へ第１支持部材４および第２支持部材５を介した熱伝導、および第１支持部材４および第２支持部材５から骨組部材６への熱放射が挙げられる。上述のように、支持部３は、第１部１から骨組部材６への熱輻射が複数の第１支持部材４を介した熱伝導および複数の第１支持部材４から骨組部材６への熱輻射と比べて骨組部材６の温度上昇に寄与するように、設けられている。そのため、構造体１００では、第１支持部材４および第２支持部材５から骨組部材６への熱放射を抑制するための膜が不要である。また、構造体１００では、第１表面１Ａおよび第２表面２Ａの大面積化に伴って第４表面７Ａおよび第５表面８Ａの大面積化が図られた場合にも、支持部３の重量化が抑制されている。そのため、構造体１００は、パラボラアンテナの電波受送部およびこれを支持する支持部からなる構造体に好適である。
【００４１】
実施の形態２．
図２に示されるように、実施の形態２に係る構造体１０１は、実施の形態１に係る構造体１００と基本的に同等の構成を備えるが、第３部１０および第４部１１をさらに備える点で異なる。
【００４２】
第３部１０は、第１表面１Ａおよび第２表面２Ａとは異なる方向を向いた第３表面１０Ａと、第３表面１０Ａとは反対側を向いた第３裏面１０Ｂとを有している。第３表面１０Ａは、構造体１００の外部を向いている。第３裏面１０Ｂは、支持部３側を向いている。
【００４３】
第４部１１は、第３表面１０Ａとは反対側を向いた第６表面１１Ａと、第６表面１１Ａとは反対側を向いた第６裏面１１Ｂとを有している。第６表面１１Ａは、構造体１００の外部を向いている。第６裏面１１Ｂは、支持部３側を向いている。第３部１０および第４部１１は、第１部１および第２部２とともに、支持部３に支持されている。
【００４４】
第６表面１１Ａは、例えば第３表面１０Ａと平行である。第６裏面１１Ｂは、例えば第３裏面１０Ｂと平行である。第３表面１０Ａ、第３裏面１０Ｂ、第６表面１１Ａおよび第６裏面１１Ｂは、例えば第１表面１Ａ、第１裏面１Ｂ、第２表面２Ａ、および第２裏面２Ｂに垂直な面である。第３表面１０Ａ、第３裏面１０Ｂ、第６表面１１Ａおよび第６裏面１１Ｂは、平面であってもよいし、放射面であってもよい。第３部１０よび第４部１１は、例えばプレート状に構成されている。第３部１０よび第４部１１は、例えばアンテナの主反射鏡として構成されていてもよいし、パラボナアンテナの放射器を支持する支持部材として構成されていてもよい。
【００４５】
支持部３は、第１支持部材４、第２支持部材５、および骨組部材６に加えて、複数の第３支持部材１２および複数の第４支持部材１３をさらに含む。
【００４６】
複数の第３支持部材１２は、第３部１０を支持している。各第３支持部材１２は、第３部１０の第３裏面１０Ｂ、および後述する第３骨組部材９の第４骨組部材１４の第７表面１４Ａに接続されている。複数の第３支持部材１２の第２方向Ｂに垂直な断面積の総和は、第３裏面１０Ｂの面積未満である。複数の第３支持部材１２の第２方向Ｂに沿って延びる表面積の総和は、第３裏面１０Ｂの面積未満である。異なる観点から言えば、支持部３は、第３部１０から骨組部材６への熱輻射が複数の第３支持部材１２を介した熱伝導と比べて第３部１０から骨組部材６への伝熱に寄与するように、設けられている。
【００４７】
複数の第４支持部材１３は、第４部１１を支持している。各第４支持部材１３は、第４部１１の第６裏面１１Ｂ、および後述する第３骨組部材９の第５骨組部材１５の第８表面１５Ａに接続されている。複数の第４支持部材１３の第２方向Ｂに垂直な断面積の総和は、第６裏面１１Ｂの面積未満である。複数の第４支持部材１３の第２方向Ｂに沿って延びる表面積の総和は、第６裏面１１Ｂの面積未満である。異なる観点から言えば、支持部３は、第４部１１から骨組部材６への熱輻射が複数の第４支持部材１３を介した熱伝導と比べて第４部１１から骨組部材６への伝熱に寄与するように、設けられている。
【００４８】
第３骨組部材９は、第２方向Ｂにおける一端および他端を成している第４骨組部材１４および第５骨組部材１５を有している。第４骨組部材１４および第５骨組部材１５は、第１骨組部材７と第２骨組部材８とを接続している。第４骨組部材１４は、第２方向Ｂを向いた第７表面１４Ａと、第７表面１４Ａとは反対側を向いた第７裏面１４Ｂとを有している。第５骨組部材１５は、第２方向Ｂを向いた第８表面１５Ａと、第８表面１５Ａとは反対側を向いた第８裏面１５Ｂとを有している。
【００４９】
第３部１０の第３表面１０Ａ上には、第６膜３０Ａが形成されている。第３部１０の第３裏面１０Ｂ上には、第７膜３０Ｂが形成されている。第４部１１の第６表面１１Ａ上には、第１１膜３１Ａが形成されている。第４部１１の第６裏面１１Ｂ上には、第１２膜３１Ｂが形成されている。第４骨組部材１４の第７表面１４Ａおよび第７裏面１４Ｂ上には、第１３膜３４が形成されている。第５骨組部材１５の第８表面１５Ａおよび第８裏面１５Ｂ上には、第１４膜３５が形成されている。すなわち、上記第３膜は、第８膜２７、第９膜２８、および第１０膜２９に加えて、第１３膜３４および第１４膜３５をさらに含む。
【００５０】
第６膜３０Ａの熱放射率は、第７膜３０Ｂ、第８膜２７、第９膜２８、第１０膜２９、第１３膜３４、および第１４膜３５の各熱放射率よりも高い。好ましくは、第６膜３０Ａの日射反射率は、第７膜３０Ｂ、第８膜２７、第９膜２８、第１０膜２９、第１３膜３４、および第１４膜３５の各日射反射率よりも高い。
【００５１】
第１１膜３１Ａの熱放射率は、第１２膜３１Ｂ、第８膜２７、第９膜２８、第１０膜２９、第１３膜３４、および第１４膜３５の各熱放射率よりも高い。好ましくは、第１１膜３１Ａの日射反射率は、第１２膜３１Ｂ、第８膜２７、第９膜２８、第１０膜２９、第１３膜３４、および第１４膜３５の各日射反射率よりも高い。
【００５２】
第６膜３０Ａの熱放射率は、例えば第１１膜３１Ａの熱放射率に等しい。第６膜３０Ａの日射反射率は、例えば第１１膜３１Ａの日射反射率に等しい。
【００５３】
例えば、第１膜２１Ａ、第４膜２２Ａ、第６膜３０Ａ、および第１１膜３１Ａの各熱放射率は、第２膜２１Ｂ、第５膜２２Ｂ、第７膜３０Ｂ、第１２膜３１Ｂ、第８膜２７、第９膜２８、第１０膜２９、第１３膜３４、および第１４膜３５の各熱放射率よりも高い。第１膜２１Ａ、第４膜２２Ａ、第６膜３０Ａ、および第１１膜３１Ａの各日射反射率は、第２膜２１Ｂ、第５膜２２Ｂ、第７膜３０Ｂ、第１２膜３１Ｂ、第８膜２７、第９膜２８、第１０膜２９、第１３膜３４、および第１４膜３５の各日射反射率よりも高い。
【００５４】
例えば、第１膜２１Ａ、第４膜２２Ａ、第６膜３０Ａ、および第１１膜３１Ａの各熱放射率は、互いに等しい。第１膜２１Ａ、第４膜２２Ａ、第６膜３０Ａ、および第１１膜３１Ａの各日射反射率は、互いに等しい。第２膜２１Ｂ、第５膜２２Ｂ、第７膜３０Ｂ、第１２膜３１Ｂ、第８膜２７、第９膜２８、第１０膜２９、第１３膜３４、および第１４膜３５の各熱放射率は、互いに等しい。第２膜２１Ｂ、第５膜２２Ｂ、第７膜３０Ｂ、第１２膜３１Ｂ、第８膜２７、第９膜２８、第１０膜２９、第１３膜３４、および第１４膜３５の各日射反射率は、互いに等しい。
【００５５】
構造体１０１は、構造体１００と基本的に同様の構成を備えているため、構造体１００と同様の効果を奏することができる。
【００５６】
さらに、構造体１０１では、第１部１および第２部２から支持部３への熱放射のみならず、第３部１０および第４部１１から支持部３への熱放射が従来の構造体の入熱部から構造躯体への熱放射と比べて抑制されている。そのため、構造体１０１は、例えば日射熱が複数の方向から侵入する環境下に配置される構造体に、好適である。
【００５７】
＜変形例＞
実施の形態１，２に係る構造体１００，１０１では、第１支持部材４、第２支持部材５、第３支持部材１２、および第４支持部材１３の各表面上には、各表面からの熱放射を低減するための膜が形成されていない。上述のように、支持部３は、第１部１、第２部２、第３部１０および第４部１１の各々から骨組部材６への熱放射が第１支持部材４、第２支持部材５、第３支持部材１２および第４支持部材１３の各々を介した熱伝導よりも第１部１、第２部２、第３部１０および第４部１１の各々から骨組部材６への伝熱に寄与するように、設けられている。そのため、構造体１００，１０１では、第１支持部材４、第２支持部材５、第３支持部材１２および第４支持部材１３の各々から骨組部材６の熱放射を抑制するための遮熱部材が必須ではない。一方で、第１支持部材４、第２支持部材５、第３支持部材１２、および第４支持部材１３の各表面上には、各表面からの熱放射を低減するための膜が形成されていてもよい。この場合、第１支持部材４、第２支持部材５、第３支持部材１２、および第４支持部材１３の各表面上に形成される膜の熱放射率は、第１膜２１Ａの熱放射率よりも低く、例えば第２膜２１Ｂの熱放射率と等しい。
【００５８】
以上のように本発明の実施の形態について説明を行なったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【符号の説明】
【００５９】
１  第１部、１Ａ  第１表面、１Ｂ  第１裏面、２  第２部、２Ａ  第２表面、２Ｂ  第２裏面、３  支持部、４  第１支持部材、５  第２支持部材、６  骨組部材、７  第１骨組部材、７Ａ  第４表面、７Ｂ  第４裏面、８  第２骨組部材、８Ａ  第５表面、８Ｂ  第５裏面、９  第３骨組部材、１０  第３部、１０Ａ  第３表面、１０Ｂ  第３裏面、１１  第４部、１１Ａ  第６表面、１１Ｂ  第６裏面、１２  第３支持部材、１３  第４支持部材、１４  第４骨組部材、１４Ａ  第７表面、１４Ｂ  第７裏面、１５  第５骨組部材、１５Ａ  第８表面、１５Ｂ  第８裏面、２１Ａ  第１膜、２１Ｂ  第２膜、２２Ａ  第４膜、２２Ｂ  第５膜、２７  第８膜、２８  第９膜、２９  第１０膜、３０Ａ  第６膜、３０Ｂ  第７膜、３１Ａ  第１１膜、３１Ｂ  第１２膜、３４  第１３膜、３５  第１４膜、１００，１０１  構造体。  
【図１】
2019220743.tif 000003
【図２】
2019220743.tif 000004
【国際調査報告】
2019220743.tif 000005
2019220743.tif 000006